(57)【要約】【課題】一度再生（又は収容部に収容）された光ディスクについては、光ディスクの入れ替えの都度発生する頭出し時間が短縮される連奏装置を提供する。【解決手段】収容室に／から光ディスク３１，・・３ｎが収容／取り出された場合、収容履歴（第１，・・第ｙ履歴）を生成する。光ディスクを最初に再生（又は収容部に収容）する場合、光ディスクから媒体識別子及びデータ識別子を読み出して対応する収容履歴に記憶する。再生すべく選択された複数の光ディスク夫々の再生に際し、再生すべき光ディスクの収容履歴に媒体識別子が記憶されている場合、前記収容履歴に記憶されたデータ識別子で識別されるデータを再生する。再生すべき光ディスクの収容履歴に媒体識別子が記憶されていない場合、前記光ディスクから読み出した媒体識別子が他の収容履歴に記憶されているときは、前記他の収容履歴に記憶されたデータ識別子で識別されるデータを再生する。【選択図】図４
2011123937.tif 000002
【特許請求の範囲】
【請求項１】
着脱可能な複数の記録媒体を収容する収容部と、該収容部に収容された記録媒体の収容履歴に、前記記録媒体に記録されたデータを識別するデータ識別子及び前記記録媒体に固有の媒体識別子を対応付けて記憶するための履歴記憶部とを備え、前記収容部に収容されている記録媒体のうちから選択された複数の記録媒体の収容履歴夫々に対応付けられたデータ識別子で識別されるデータを順次再生する連奏装置であって、
再生すべく選択された複数の記録媒体夫々に記録されたデータの再生に際し、再生すべき記録媒体の収容履歴に対応する媒体識別子が前記履歴記憶部に記憶されているか否かを判定する手段と、
該手段が記憶されていないと判定した場合、前記記録媒体から媒体識別子を読み出す手段と、
該手段が読み出した媒体識別子と同一の媒体識別子が、何れかの収容履歴に対応して前記履歴記憶部に記憶されているか否かを判定する手段と、
該手段が記憶されていないと判定した場合、前記記録媒体からデータ識別子を読み出す手段と、
該手段がデータ識別子を読み出した場合、前記記録媒体から読み出したデータ識別子及び媒体識別子を前記記録媒体の収容履歴に対応付けて前記履歴記憶部に記憶させる手段と
を備えることを特徴とする連奏装置。
【請求項２】
着脱可能な複数の記録媒体を収容する収容部と、該収容部に収容された記録媒体の収容履歴に、前記記録媒体に記録されたデータを識別するデータ識別子及び前記記録媒体に固有の媒体識別子を対応付けて記憶するための履歴記憶部とを備え、前記収容部に収容されている記録媒体のうちから選択された複数の記録媒体の収容履歴夫々に対応付けられたデータ識別子で識別されるデータを順次再生する連奏装置であって、
前記収容部に１又は複数の記録媒体が収容された場合、収容された記録媒体から媒体識別子を読み出す手段と、
該手段が読み出した媒体識別子と同一の媒体識別子が、何れかの収容履歴に対応して前記履歴記憶部に記憶されているか否かを判定する手段と、
該手段が記憶されていないと判定した場合、前記記録媒体からデータ識別子を読み出す手段と、
該手段がデータ識別子を読み出した場合、前記記録媒体から読み出したデータ識別子及び媒体識別子を前記記録媒体の収容履歴に対応付けて前記履歴記憶部に記憶させる手段と
を備えることを特徴とする連奏装置。
【請求項３】
記録媒体に記録されたデータの末尾から所定量のデータを記憶するためのデータ記憶部と、
再生すべく選択された複数の記録媒体夫々に記録されたデータの再生に際し、再生すべき記録媒体の収容履歴に対応付けられた前記所定量のデータが前記データ記憶部に記憶されているか否かを判定する判定手段と、
該判定手段が記憶されていないと判定した場合、再生された前記所定量のデータを前記記録媒体の収容履歴に対応付けて前記データ記憶部に記憶させる手段とを備え、
前記判定手段が記憶されていると判定した場合、前記記録媒体に記録された前記所定量のデータに代えて、前記記録媒体の収容履歴に対応付けて前記データ記憶部に記憶されているデータを読み出して再生するようにしてあること
を特徴とする請求項１又は２に記載の連奏装置。
【請求項４】
前記収容室に収容されている記録媒体に記録されたデータを読み出すための読出制御手段と、
前記履歴記憶部に前記記録媒体から読み出したデータ識別子及び媒体識別子を記憶させる場合、前記読出制御手段の動作を制御する制御情報を前記記録媒体の収容履歴に対応付けて記憶させる手段と
を備えることを特徴とする請求項１から３までの何れか１項に記載の連奏装置。
【請求項５】
記録媒体の収容履歴に対応付けて前記履歴記憶部に記憶された内容の一部又は全部を表示するデータを生成する表示データ生成手段と、
前記表示データ生成手段が生成したデータに基づく画像を表示する表示部と、
該表示部に表示された画像のうち、前記収容部に収容されている複数の記録媒体の収容履歴夫々に対応付けられた内容に係る画像の選択を受け付ける手段と
を備えることを特徴とする請求項１から４までの何れか１項に記載の連奏装置。
【請求項６】
前記収容部は、収容室識別子により識別される複数の収容室を有しており、
前記収容部に１又は複数の記録媒体が収容された場合、記録媒体が収容された収容室を識別する収容室識別子を前記記録媒体の収容履歴に対応付けて前記履歴記憶部に記憶させる手段と、
前記収容部から１又は複数の記録媒体が取り出された場合、記録媒体が取り出された収容室を識別する収容室識別子を前記履歴記憶部から削除させる手段とを備えること
を特徴とする請求項１から５までの何れか１項に記載の連奏装置。
【請求項７】
前記媒体識別子は、該媒体識別子が読み出されるべき記録媒体に記録されたデータのうち、再生さるべきデータの管理領域内の所定量のデータであることを特徴とする請求項１から６までの何れか１項に記載の連奏装置。
【請求項８】
前記データ識別子は、該データ識別子が読み出されるべき記録媒体に記録されたデータの表題を含むことを特徴とする請求項１から７までの何れか１項に記載の連奏装置。
【発明の詳細な説明】
【技術分野】
【０００１】
本発明は、複数の記録媒体に記録されたデータをデータ識別子で識別して順次再生する連奏装置に関する。
【背景技術】
【０００２】
従来、音楽情報、画像情報等の情報を含む映像データ、及び／又は音楽データを記録した記録媒体として、例えばＤＶＤ（Digital Versatile Disc ）、ＢＤ（Bluray Disc：登録商標）等の光ディスクをディスク連装装置（いわゆるディスクチェンジャ）に収容し、ディスクチェンジャに収容された目的の光ディスクからコンテンツ（映像データ及び／又は音楽データ）を読み出して再生する機器が使用されている。
【０００３】
ＤＶＤ、ＢＤ等の光ディスクからコンテンツを再生するには、データを読み出す光ビームのフォーカシング（集光）及びトラッキング等の制御を行い、更にコンテンツを読み出すための管理情報を先に読み出す必要があるため、ＢＤの場合、データの読み出しの制御を開始してから目的とするコンテンツを読み出せるようになるまでに３０秒〜１分程度の時間（以下、頭出し時間という）を要する。
【０００４】
ディスクチェンジャに収容した複数の光ディスクを、予めプログラムした順序で連続して再生させる場合、ディスクチェンジャが再生すべき光ディスクを入れ替えるのに要する時間に加えて、光ディスクの入れ替えの都度、頭出し時間が発生する。また、光ディスクによっては、コンテンツの再生に先立ち、再生すべきコンテンツの選択が要求される場合がある。
【０００５】
例えば、特許文献１では、光ディスクから読み出した管理情報（制御情報）に、タイトルのメニューの表示を要求する命令が含まれる場合、再生時間が所定時間以上のタイトルを主タイトルとして選択し、主タイトルに応じたコンテンツを自動的に再生する記録メディア再生装置が開示されている。
【先行技術文献】
【特許文献】
【０００６】
【特許文献１】国際公開第２００４／９３０７９号パンフレット
【発明の概要】
【発明が解決しようとする課題】
【０００７】
しかしながら、特許文献１に開示された技術では、光ディスクの入れ替えの都度、メニューが表示されることはないものの、上述した頭出し時間を短縮することはできなかった。
【０００８】
本発明は斯かる事情に鑑みてなされたものであり、その目的とするところは、一度再生された記録媒体及び一度収容部に収容された記録媒体について、記録媒体の入れ替えの都度発生する頭出し時間が短縮される連奏装置を提供することにある。
【課題を解決するための手段】
【０００９】
本発明に係る連奏装置は、着脱可能な複数の記録媒体を収容する収容部と、該収容部に収容された記録媒体の収容履歴に、前記記録媒体に記録されたデータを識別するデータ識別子及び前記記録媒体に固有の媒体識別子を対応付けて記憶するための履歴記憶部とを備え、前記収容部に収容されている記録媒体のうちから選択された複数の記録媒体の収容履歴夫々に対応付けられたデータ識別子で識別されるデータを順次再生する連奏装置であって、再生すべく選択された複数の記録媒体夫々に記録されたデータの再生に際し、再生すべき記録媒体の収容履歴に対応する媒体識別子が前記履歴記憶部に記憶されているか否かを判定する手段と、該手段が記憶されていないと判定した場合、前記記録媒体から媒体識別子を読み出す手段と、該手段が読み出した媒体識別子と同一の媒体識別子が、何れかの収容履歴に対応して前記履歴記憶部に記憶されているか否かを判定する手段と、該手段が記憶されていないと判定した場合、前記記録媒体からデータ識別子を読み出す手段と、該手段がデータ識別子を読み出した場合、前記記録媒体から読み出したデータ識別子及び媒体識別子を前記記録媒体の収容履歴に対応付けて前記履歴記憶部に記憶させる手段とを備えることを特徴とする。
【００１０】
本発明にあっては、再生すべく選択された複数の記録媒体夫々に記録されたデータの再生に際し、再生すべき記録媒体の収容履歴に対応する媒体識別子が履歴記憶部に記憶されていないときは、記録媒体から媒体識別子を直接読み出す。そして、読み出した媒体識別子と同一の媒体識別子が、履歴記憶部の何れの収容履歴にも対応するように記憶されていないときは、記録媒体から更にデータ識別子を読み出し、読み出したデータ識別子及び媒体識別子を、記録媒体の収容履歴に対応付けて履歴記憶部に記憶させる。
これにより、再生すべく選択された複数の記録媒体夫々について、記録媒体の収容履歴に対応して履歴記憶部に記憶さるべき媒体識別子が既に記憶されている場合は、必然的に、収容履歴に対応付けられたデータ識別子が記憶されており、記録媒体からデータ識別子を読み出す時間を要することなしに、記憶されたデータ識別子で識別されるデータを再生することができる。
また、再生すべく選択された複数の記録媒体夫々について、記録媒体の収容履歴に対応して履歴記憶部に記憶さるべき媒体識別子が記憶されていない場合、記録媒体から読み出した媒体識別子と同一の媒体識別子が履歴記憶部に記憶されているときは、記憶されている媒体識別子を有する記録媒体が、再生すべく選択された記録媒体そのものであり、媒体識別子が対応する収容履歴に対応付けられたデータ識別子で識別されるデータを再生することができる。
【００１１】
本発明に係る連奏装置は、着脱可能な複数の記録媒体を収容する収容部と、該収容部に収容された記録媒体の収容履歴に、前記記録媒体に記録されたデータを識別するデータ識別子及び前記記録媒体に固有の媒体識別子を対応付けて記憶するための履歴記憶部とを備え、前記収容部に収容されている記録媒体のうちから選択された複数の記録媒体の収容履歴夫々に対応付けられたデータ識別子で識別されるデータを順次再生する連奏装置であって、前記収容部に１又は複数の記録媒体が収容された場合、収容された記録媒体から媒体識別子を読み出す手段と、該手段が読み出した媒体識別子と同一の媒体識別子が、何れかの収容履歴に対応して前記履歴記憶部に記憶されているか否かを判定する手段と、該手段が記憶されていないと判定した場合、前記記録媒体からデータ識別子を読み出す手段と、該手段がデータ識別子を読み出した場合、前記記録媒体から読み出したデータ識別子及び媒体識別子を前記記録媒体の収容履歴に対応付けて前記履歴記憶部に記憶させる手段とを備えることを特徴とする。
【００１２】
本発明にあっては、収容部に１又は複数の記録媒体が収容された場合、収容された記録媒体から直接読み出した媒体識別子と同一の媒体識別子が、履歴記憶部の何れの収容履歴にも対応するよう記憶されていないときは、記録媒体から更にデータ識別子を読み出し、読み出したデータ識別子及び媒体識別子を、収容された記録媒体の収容履歴に対応付けて履歴記憶部に記憶させる。
これにより、収容部に収容された１又は複数の記録媒体から読み出した媒体識別子と同一の媒体識別子が履歴記憶部に記憶されていないときは、再生に先立って、記録媒体から読み出したデータ識別子及び媒体識別子を記録媒体の収容履歴に対応するように履歴記憶部に記憶させる。
また、収容部に収容された１又は複数の記録媒体から読み出した媒体識別子と同一の媒体識別子が履歴記憶部に記憶されているときは、記憶されている媒体識別子を有する記録媒体が、収容された記録媒体そのものであり、媒体識別子が対応する収容履歴に対応付けられたデータ識別子で識別されるデータを、記録媒体からデータ識別子を読み出す時間を要することなしにいつでも再生することができる。
【００１３】
本発明に係る連奏装置は、記録媒体に記録されたデータの末尾から所定量のデータを記憶するためのデータ記憶部と、再生すべく選択された複数の記録媒体夫々に記録されたデータの再生に際し、再生すべき記録媒体の収容履歴に対応付けられた前記所定量のデータが前記データ記憶部に記憶されているか否かを判定する判定手段と、該判定手段が記憶されていないと判定した場合、再生された前記所定量のデータを前記記録媒体の収容履歴に対応付けて前記データ記憶部に記憶させる手段とを備え、前記判定手段が記憶されていると判定した場合、前記記録媒体に記録された前記所定量のデータに代えて、前記記録媒体の収容履歴に対応付けて前記データ記憶部に記憶されているデータを読み出して再生するようにしてあることを特徴とする。
【００１４】
本発明にあっては、再生すべく選択された複数の記録媒体夫々について、記録媒体に記録されたデータの末尾から所定量のデータの再生に際し、記録媒体の収容履歴に対応付けられた前記所定量のデータがデータ記憶部に記憶されていない場合（又は記憶されている場合）、前記所定量のデータを再生と同時にデータ記憶部に記憶する（又はデータ記憶部に記憶されたデータを読み出して再生する）。
これにより、一度再生された記録媒体のデータの末尾から所定量のデータについては、記録媒体から読み出すことなく再生できるため、記録媒体の入れ替えを再生の完了より先に行うことができる。
【００１５】
本発明に係る連奏装置は、前記収容室に収容されている記録媒体に記録されたデータを読み出すための読出制御手段と、前記履歴記憶部に前記記録媒体から読み出したデータ識別子及び媒体識別子を記憶させる場合、前記読出制御手段の動作を制御する制御情報を前記記録媒体の収容履歴に対応付けて記憶させる手段とを備えることを特徴とする。
【００１６】
本発明にあっては、記録媒体に記録されたデータを読み出すための読出制御手段から取り込んだ制御情報を、記録媒体の収容履歴に対応付けて記憶させる。
これにより、記録媒体を再生するときに前記記録媒体に対応する制御情報を読み出して読出制御手段に与えることとした場合は、例えばフォーカシング及びトラッキング等の制御回路が安定状態に達するまでの時間を短縮することができる。
【００１７】
本発明に係る連奏装置は、記録媒体の収容履歴に対応付けて前記履歴記憶部に記憶された内容の一部又は全部を表示するデータを生成する表示データ生成手段と、前記表示データ生成手段が生成したデータに基づく画像を表示する表示部と、該表示部に表示された画像のうち、前記収容部に収容されている複数の記録媒体の収容履歴夫々に対応付けられた内容に係る画像の選択を受け付ける手段とを備えることを特徴とする。
【００１８】
本発明にあっては、記録媒体の収容履歴に対応付けて履歴記憶部に記憶された内容の一部又は全部を画像として表示し、表示された画像のうちから、収容部に収容されている複数の記録媒体の収容履歴夫々に対応付けられた内容に係る画像の選択を受け付ける。
これにより、媒体識別子及び／又はデータ識別子を表示して使用者に選択させることとした場合は、識別子を使用者に視認させた上で間接的に複数の記録媒体の収容履歴を選択させることができ、選択された各収容履歴から、再生すべき記録媒体を特定することができる。
【００１９】
本発明に係る連奏装置は、前記収容部は、収容室識別子により識別される複数の収容室を有しており、前記収容部に１又は複数の記録媒体が収容された場合、記録媒体が収容された収容室を識別する収容室識別子を前記記録媒体の収容履歴に対応付けて前記履歴記憶部に記憶させる手段と、前記収容部から１又は複数の記録媒体が取り出された場合、記録媒体が取り出された収容室を識別する収容室識別子を前記履歴記憶部から削除させる手段とを備えることを特徴とする。
【００２０】
本発明にあっては、収容部が、収容室識別子によって識別される複数の収容室を有しており、１又は複数の収容室に記録媒体が収容された場合（又は１又は複数の収容室から記録媒体が取り出された場合）、前記収容室を識別する収容室識別子を、前記記録媒体の収容履歴に対応付けて履歴記憶部に記憶させる（又は履歴記憶部から削除させる）。
これにより、収容室識別子を表示して使用者に選択させることとした場合は、収容室に収容されている複数の記録媒体の収容履歴を間接的に選択させることができ、選択された各収容履歴から、再生すべき記録媒体を特定することができる。
【００２１】
本発明に係る連奏装置は、前記媒体識別子は、該媒体識別子が読み出されるべき記録媒体に記録されたデータのうち、再生さるべきデータの管理領域内の所定量のデータであることを特徴とする。
【００２２】
本発明にあっては、媒体識別子は、データのヘッダ領域に記録された所定量のデータであり、バーストカッティングエリア（Burst Cutting Area:BCA、又はNarrow Burst Cutting Area:NBCA。以下単にＢＣＡという）に記録されているディスクＩＤのみならず、使用者が記録したデータのヘッダの一部を媒体識別子として用いることができる。
【００２３】
本発明に係る連奏装置は、前記データ識別子は、該データ識別子が読み出されるべき記録媒体に記録されたデータの表題を含むことを特徴とする。
【００２４】
本発明にあっては、データ識別子にデータの表題が含まれるため、履歴記憶部の内容を表示することとした場合は、データの表題を参照して再生させる複数の記録媒体を選択することができる。
【発明の効果】
【００２５】
本発明によれば、再生すべく選択された複数の記録媒体夫々から読み出した媒体識別子と同一の媒体識別子が履歴記憶部に記憶されていない場合、又は収容部に収容された１又は複数の記録媒体から読み出した媒体識別子と同一の媒体識別子が履歴記憶部に記憶されていない場合、各記録媒体から更にデータ識別子を読み出して媒体識別子と共に記憶させる。
これにより、次回に各記録媒体を再生する場合、又は次回に収容室へ記録媒体を収容する場合は、各記録媒体に対応付けられたデータ識別子が履歴記憶部に記憶されていることが担保される。
従って、記録媒体の種類が、例えばＤＶＤ及びＢＤのように、データ識別子の読み出しに比較的時間を要するものである場合は、一度再生された記録媒体及び一度収容部に収容された記録媒体について、記録媒体の入れ替えの都度発生する頭出し時間を短縮することが可能となる。
【図面の簡単な説明】
【００２６】
【図１】本発明の実施の形態１に係る録再装置の外観を示す略示斜視図である。
【図２】録再装置の構成を示すブロック図である。
【図３】光ディスクの構成の一例を模式的に示す平面図である。
【図４】記憶部に記憶される内容と光ディスクとの対応関係を説明するための説明図である。
【図５】履歴記憶部に記憶された内容の一部を例示した説明図である。
【図６】収容履歴を発生させた光ディスクに係る各識別子を一覧表示するＧＵＩの例を示す模式図である。
【図７】ＧＵＩを表示装置に表示させ、再生すべき複数の光ディスク夫々に係る識別子の選択を受け付けるＣＰＵの処理手順を示すフローチャートである。
【図８】選択された複数の光ディスクのコンテンツを順次再生するＣＰＵの処理手順を示すフローチャートである。
【図９】選択された複数の光ディスクのコンテンツを順次再生するＣＰＵの処理手順を示すフローチャートである。
【図１０】コンテンツ再生のサブルーチンに係るＣＰＵの処理手順を示すフローチャートである。
【図１１】所定長再生ルーチンに係るＣＰＵの処理手順を示すフローチャートである。
【図１２】実施の形態２に係る履歴記憶部に記憶された内容の一部を例示した説明図である。
【図１３】１又は複数の光ディスクが収容室に収容された場合、収容履歴の生成及び媒体識別子の読み出しを行うＣＰＵの処理手順を示すフローチャートである。
【図１４】収容履歴を発生させた光ディスクの各識別子を一覧表示するＧＵＩの例を示す模式図である。
【発明を実施するための形態】
【００２７】
以下、本発明に係る連奏装置を、表示装置が接続された録再装置に適用した実施の形態について詳述する。
（実施の形態１）
図１は、本発明の実施の形態１に係る録再装置の外観を示す略示斜視図である。図中１は、ＢＤ、ＤＶＤ等の光ディスクから映像データ及び／又は音声データを記録及び再生する録再装置であり、録再装置１は、複数の光ディスクの収容及び排出が可能な収容部２４を備えている。１００は録再装置１のためのリモートコントローラ（以下、リモコンという）である。収容部２４は、５つの収容室２４ａと、該収容室２４ａに光ディスクが収容されているか否かを示す５つの表示ランプ２４ｂとを有している。収容室２４ａは夫々挿入口を有しており、該挿入口から光ディスクが挿入及び排出される。リモコン１００は、操作ボタン及び十字キー等の操作部を備えている。
【００２８】
収容室２４ａに光ディスクが収容された場合、表示ランプ２４ｂが点灯し、収容室２４ａから光ディスクが排出された場合、表示ランプ２４ｂが消灯する。録再装置１は、ＬＣＤからなる表示装置２００に接続され、収容室２４ａに収容された光ディスクから映像データを読み出して表示装置２００に映像を表示させるようになっている。録再装置１は、また、リモコン１００からの赤外線信号を受信部１１にて受信し、例えば、光ディスクに記録されているコンテンツのタイトル（表題）を表示装置２００に表示させる。表示装置２００に表示されたタイトルをリモコン１００からの赤外線信号に基づいて選択し、選択されたタイトルに係るコンテンツを再生することができる。
尚、５つの収容室２４ａは、収容部２４に固定的に配置されるものに限定されず、例えば、５つの収容室２４ａを有するカートリッジを収容室２４ａに装着して、複数の光ディスクを一度に収容できるようにしてもよい。
【００２９】
図２は、録再装置１の構成を示すブロック図である。録再装置１は、バックエンド装置２と、ドライブ装置２０とを備える。バックエンド装置２は、コード化された映像データ及び音声データが含まれるデジタル放送波を受信するデジタルチューナ３と、アナログ信号である映像信号及び音声信号を符号化するエンコーダ４とを備える。デジタルチューナ３は、入力されたデジタル放送波をＭＰＥＧ（Moving Picture Experts Group ）−２ＴＳ（Transport Stream ）等のデジタルストリームデータに変換する。エンコーダ４は、入力されたアナログ信号をＭＰＥＧ−２ＰＳ（Program Stream ）又はＭＰＥＧ−２ＴＳ等のデジタルストリームデータに変換する処理を行う。
【００３０】
バックエンド装置２は、また、デジタルチューナ３及びエンコーダ４にて夫々変換されたデジタルストリームデータに対してビットレートの変換処理等を行うデータ処理部５を備えている。データ処理部５は、バス６に接続してあり、該バス６にはＣＰＵ７と、ＲＡＭ８及びＥＥＰＲＯＭ（Electrically Erasable and Programmable Read Only Memory ）９からなるメモリと、デコーダ１０と、ＳＡＴＡ（Serial Advanced Technology Attachment ）等のインタフェースであるＩ／Ｆ（Interface ）１２とが更に接続されている。ＣＰＵ７にはリモコン１００からの赤外線信号を受信する受信部１１が接続されている。ＣＰＵ７は、ＥＥＰＲＯＭ９に予め記憶された制御プログラムをＲＡＭ８にロードし、該制御プログラムに従って映像データ及び音声データの記録及び再生を制御する。
【００３１】
デコーダ１０には画像処理部１３が接続されている。デコーダ１０は、バス６を介してデータ処理部５及びＩ／Ｆ１２から与えられたデジタルストリームデータをデコードし、デコードした映像データ及び音声データを画像処理部１３に与える。画像処理部１３は、デコーダ１０から与えられた映像データに対して輝度補正、ガンマ補正等の補正処理を行い、補正した映像データ、及び音声データを表示装置２００に与える。画像処理部１３は、また、デコーダ１０を介してＣＰＵ７から直接制御されることにより、表示装置２００に表示すべき画像データを生成する。
Ｉ／Ｆ１２は、ドライブ装置２０との間でデータの入出力を行う。
【００３２】
ドライブ装置２０は、互いにバス２１で接続された記憶部２２、光ディスクドライブユニット２３、Ｉ／Ｆ２７及び駆動制御部２８を備える。記憶部２２は、ＮＡＮＤ（Not AND ）型フラッシュメモリからなる。駆動制御部２８は、ＣＰＵ７からの指令によって、光ディスクドライブユニット２３の駆動、記憶部２２へ／からの情報の書き込み／読み出し、及びバックエンド装置２とのデータの授受を制御する。Ｉ／Ｆ２７は、バックエンド装置２のＩ／Ｆ１２と接続してあり、これらのＩ／Ｆ１２，２７を介してバックエンド装置２及びドライブ装置２０間でデータの授受を行う。
【００３３】
光ディスクドライブユニット２３は、複数の収容室２４ａを有する収容部２４と、一の光ディスクを駆動する駆動部２６と、該駆動部２６及び収容部２４間で光ディスクの搬送及び交換（入れ替え）を行うチェンジャ部２５とを備える。複数の収容室２４ａの夫々は、内部に光ディスクが収容されたことを検出するディスク検出センサ２４ｃを有している。駆動部２６は、該駆動部２６に装填された光ディスクに対して光ビームを照射する光学系を有するピックアップ２６ａと、光学系の収差補正、光ディスクのチルト補正、光ビームのフォーカシング及びトラッキング等の制御を行う読出制御回路２６ｂとを有している。駆動部２６は、ピックアップ２６ａから照射した光ビームにより、光ディスクに固有の媒体識別子（いわゆるメディアＩＤ）の読み出しを適宜行うと共に、光ディスクから／へ、コンテンツが含まれるデータ及び該データを識別する複数のデータ識別子の読み出し／書き込みを行う。
【００３４】
図３は、光ディスクの構成の一例を模式的に示す平面図である。後述する光ディスク３１，３２，・・３ｎの夫々は、中心にセンターホール３０ａが形成された円盤状をなしており、一の盤面がデータを記録するための記録面となっている。記録面には、内周側から順に、ＢＣＡ３０ｂ、リードインエリア３０ｃ、データエリア３０ｄ及びリードアウトエリア３０ｅが配置されている。最内周部のＢＣＡ３０ｂには、放射状のストライプパターンによって所定長の情報が周方向に書き換え不能に記録されている。ＢＣＡ３０ｂに記録された情報は、読出制御回路２６ｂによって光ビームのフォーカスを制御した後に、速やかに読み出すことができる。リードインエリア３０ｃには、データエリア３０ｄに記録されたコンテンツの再生管理のための情報、各光ディスク３１，３２，・・３ｎの物理情報等の管理情報が記録される。リードアウトエリア３０ｅには、データエリアの終わりを示す情報が記録される。
【００３５】
図４は、記憶部２２に記憶される内容と光ディスクとの対応関係を説明するための説明図である。図４では、ｋ個（ｋは正の整数）の収容室２４ａを有する収容部２４に、ｎ枚（ｎは正の整数）の光ディスク３１，３２，・・３ｎが収容された結果、ｙ個（ｙはｎ以上の正の整数）の収容履歴が生成される場合について説明する。記憶部２２は、収容部２４に光ディスク３１，３２，・・３ｎの夫々が収容される都度生成される収容履歴を記憶するための履歴記憶部と、各収容履歴を生成させた光ディスクのコンテンツのデータの一部を夫々の収容履歴に各対応付けて記憶するためのデータ記憶部と、生成された収容履歴の通番（以下、履歴通番という）を、収容室２４ａの番号（以下、収容室番号という）に対応付けて記憶するための収容室記憶部とを含んで構成されている。収容室記憶部において、光ディスク３１，３２，・・３ｎの何れもが収容されていない収容室２４ａに対応する履歴通番にはヌル（図では履歴通番＝０で示す）が記憶される。
【００３６】
履歴記憶部には、該履歴記憶部の記憶内容を管理するための情報を記憶する管理領域、及びｙ個（ｙはｎ以上の正の整数）の収容履歴（第１履歴，第２履歴，・・第ｙ履歴）が含まれる。管理領域には、収容履歴の数を示す履歴数と、１つの収容履歴のサイズを示す履歴サイズとが記憶される。履歴数の初期値は０である。データ記憶部には、ｙ個の収容履歴の夫々に対応付けられた各所定長（例えば１０Ｍバイト）の記憶領域（第１領域，第２領域，・・第ｙ領域）が含まれる。
第１履歴には、該第１履歴の履歴通番（＝１）、及び該第１履歴を生成させた光ディスク３１が収容されている収容室２４ａの識別情報が収容室識別子として記憶される。第１履歴には、また、該第１履歴を生成させた光ディスク３１を識別する媒体識別子と、光ディスク３１に記録された映像データを識別する複数のデータ識別子と、光ディスク３１に対して読み出し／書き込みを行うための読出制御回路２６ｂの調整値（以下、読出制御情報という）とを記憶するための領域が確保される。第１領域には、更に、第１領域の先頭位置及び末尾位置を指し示す割当エリア情報と、第１領域の書込／読出位置を指し示す読書位置情報とが記憶される。
第２履歴〜第ｙ履歴の夫々にも上述した各情報と同様の情報が記憶される。
【００３７】
媒体識別子は、ＢＣＡ３０ｂに記録された情報のうちの先頭から１６バイトの情報であり、光ディスクに固有の情報である。ＢＣＡ３０ｂに媒体識別子が記録されていない場合、本実施の形態１では、リードインエリア３０ｃに記録された情報のうち先頭の１６バイトの情報を媒体識別子として使用する。データ識別子は、リードインエリア３０ｃに記録された情報のうち、例えば映像データのタイトル、録画時間（又は再生時間）、光ディスク上で映像データが記録されている位置に関する情報（以下、アロケーションという）、映像データの内容等の情報をいう。読出制御情報は、より具体的には、光ビームのフォーカシング及びトラッキングの制御に夫々用いるフォーカスエラー信号及びトラッキングエラー信号を生成する回路のゲイン、光ビームのフォーカシング及びトラッキングの各バランス量、光学系の収差補正のためのレンズ位置、補正されるべきチルト量等の情報をいう。これらの情報は、光ディスクの物理的な厚み及びレーザ光の反射率等に影響されて変動するものであり、光ディスクを駆動部２６に装填する都度、読出制御回路２６ｂを調整することによって値が定まる。
【００３８】
図５は、履歴記憶部に記憶された内容の一部を例示した説明図である。図５では第１履歴〜第６履歴の内容を示してあり、タイトル、録画時間（再生時間）、アロケーション及び内容が、データ識別子に含まれる情報である。各収容履歴の収容室識別子は、夫々の収容履歴を生成させた光ディスクが収容されていた収容室２４ａの収容室番号と１対１に対応する。光ディスクが収容室２４ａに収容された直後は、媒体識別子、データ識別子及び読出制御情報としてヌル（図では×印で示す）が記憶されている。その後、収容室２４ａから光ディスクが取り出された場合は、収容室識別子にヌルが記憶される。収容室２４ａに収容されている光ディスクから実際に媒体識別子及びデータ識別子が読み出される場合は、読み出しに先立って制御された読出制御回路２６ｂの読出制御情報と、読み出された媒体識別子及びデータ識別子とが収容履歴に記憶される。ここでは、割当エリア情報、及び読書位置情報の例示を省略する。
【００３９】
以下では、光ディスク３１，３２，・・３ｎが収容部２４に／から収容／取り出された場合に、収容履歴に記憶される内容と、収容室記憶部に記憶される内容との対応付けについて、図４及び図５を用いて時系列的に説明する。尚、図４では、例としてａ＝３、ｂ＝ｊ＝４、ｍ＝ｘ＝ｋ＝５、及びｎ＝ｙ＝６と割り付ける。また図５では、光ディスク３１〜３３の媒体識別子を夫々Disc1〜Disc3と、収容室番号の１〜５に対応する収容室識別子を夫々room1〜room5と定義して説明する。
録再装置１は、ディスク検出センサ２４ｃが、収容室２４ａの内部に光ディスク３１，３２，・・３ｎのうちの１又は複数が収容されたことを検出した場合、履歴通番が１から始まる収容履歴を夫々生成して履歴記憶部に記憶させる。
【００４０】
最初に収容室番号が２の収容室２４ａに光ディスク３１が収容された場合、第１履歴が生成され、履歴記憶部では、第１履歴に履歴通番（＝１）及び収容室識別子（＝room2）が記憶される。このとき、収容室記憶部では、収容室番号が２の収容室２４ａに、履歴通番が１である第１履歴が対応するように記憶される。その後、第１履歴を生成させた光ディスク３１に記録されたデータを最初に再生する場合、第１履歴には媒体識別子がまだ記憶されていないため、録再装置１は、先ず、光ディスク３１から媒体識別子（＝Disc1）を読み出す。ここでは、読み出した媒体識別子と同一の媒体識別子が履歴記憶部のどの収容履歴にも記憶されていないため、光ディスク３１から更にデータ識別子を読み出し、そのときの読出制御情報（調整値１）と、読み出した媒体識別子（＝Disc1）及びデータ識別子とを第１履歴に記憶させる。そして、データ記憶部に第１領域を確保し、その先頭位置及び末尾位置の夫々を指し示す情報を、割当エリア情報（先頭位置）及び割当エリア情報（末尾位置）に記憶させる。読書位置情報にはヌル（＝０）を記憶させる。これにより、第１領域の内容が空であることを示す。
尚、第１履歴のデータ識別子には、３つのタイトル（番組１〜３）、夫々の番組の録画時間（再生時間）、アロケーション（Aloc11〜Aloc13）及び番組の内容（サッカー、野球、バスケットボール及びバラエティ）が含まれる（後述する他の収容履歴についても同様）。
【００４１】
次に、収容室番号が１の収容室２４ａに光ディスク３２が収容された場合、光ディスク３１の場合と同様に第２履歴が生成され、履歴記憶部では、第２履歴に履歴通番（＝２）及び収容室識別子（＝room1）が記憶される。また、収容室記憶部では、収容室番号が１の収容室２４ａに、履歴通番が２の第１履歴が対応するように記憶される。その後、光ディスク３２に記録されたデータが最初に再生されるときは、第１履歴の場合と同様に、第２履歴に読出制御情報（調整値２）と、媒体識別子（＝Disc2）及びデータ識別子（＝番組４等）とが記憶される。その後更に、収容室番号が１の収容室２４ａから光ディスク３２が取り出された場合、第２履歴の収容室識別子にヌルが記憶され、収容室記憶部では、収容室番号が１の収容室２４ａに対応する履歴通番にヌル（＝０）が記憶される。これにより、収容室番号が１の収容室２４ａと第２履歴との対応付けが消去される（図４では×印で示す。以下同様）。
【００４２】
次に、収容室番号がａ（＝３）の収容室２４ａに光ディスク３ａが収容された場合、第ａ履歴（＝第３履歴）が生成され、履歴記憶部では、第３履歴に履歴通番（＝３）及び収容室識別子（＝room3）が一旦記憶される。また、収容室記憶部では、収容室番号がａの収容室２４ａに、履歴通番がａの第ａ履歴が対応するように一旦記憶される。その後、光ディスク３ａに記録されたデータが最初に再生されるときは、第ａ履歴に読出制御情報（調整値３）と、媒体識別子（＝Disc3）及びデータ識別子（＝番組５等）とが記憶される。その後更に、収容室番号がａの収容室２４ａから光ディスク３ａが取り出された場合、第３履歴の収容室識別子にヌルが記憶され、収容室記憶部では、収容室番号がａの収容室２４ａに対応する履歴通番にヌルが記憶される。これにより、収容室番号がａの収容室２４ａと第３履歴との対応付けが消去される。
【００４３】
次に、上記で取り出された光ディスク３ａが、収容室番号がｊ（＝４）の収容室２４ａに収容された場合、第ｂ履歴（＝第４履歴）が生成され、履歴記憶部では、第４履歴に履歴通番（＝４）及び収容室識別子（＝room4）が記憶される。また、収容室記憶部では、収容室番号がｊの収容室２４ａに、履歴通番がｂの第ｂ履歴が対応するように記憶される。その後、光ディスク３ａに記録されたデータが最初に再生される場合、光ディスク３ａから先に読み出された媒体識別子（＝Disc3）と同一の媒体識別子が履歴記憶部の第３履歴に記憶されているため、第３履歴に記憶されている媒体識別子を有する光ディスク３ａが、再生すべき光ディスクそのものであると判定される。従って、録再装置１は、第４履歴の読出制御情報及びデータ識別子に、第３履歴に記憶された読出制御情報及びデータ識別子をそのままコピーして記憶させる。このようにして記憶された読出制御情報を読出制御回路２６ｂに設定することにより、読出制御回路２６ｂを調整する時間が省略でき、更に、コピーされたデータ識別子に基づいて光ディスク３ａからコンテンツを速やかに読み出して再生することができる。
【００４４】
次に、収容室番号がｋ（＝５）の収容室２４ａに光ディスク３ｍが収容された場合、第ｘ履歴（＝第５履歴）が生成され、履歴記憶部では、第５履歴に履歴通番（＝５）及び収容室識別子（＝room5）が一旦記憶される。また、収容室記憶部では、収容室番号がｋの収容室２４ａに、履歴通番がｘの第ｘ履歴が対応するように一旦記憶される。その後、収容室番号がｋの収容室２４ａから光ディスク３ｍが取り出され場合、第５履歴の収容室識別子にヌルが記憶され、収容室記憶部では、収容室番号がｋの収容室２４ａに対応する履歴通番にヌル（＝０）が記憶される。
更に、上記で光ディスク３ｍが取り出された収容室２４ａに光ディスク３ｎが収容された場合、第ｙ履歴（＝第６履歴）が生成され、履歴記憶部では、第６履歴に履歴通番（＝６）及び収容室識別子（＝room5）が記憶される。また、収容室記憶部では、収容室番号がｋの収容室２４ａに、履歴通番がｙの第ｙ履歴が対応するように記憶される。
【００４５】
以上、図４及び図５を用いた説明より、収容部２４に収容されている光ディスクのうちから、再生すべき複数の光ディスクを使用者に選択させるには、例えば、図４に示す収容室記憶部の記憶内容を収容室番号順に表示装置２００に表示させ、ヌル（＝０）でない履歴通番の選択を複数回受け付けるようにすればよい。その場合は、受け付けた履歴通番から、選択さるべき複数の光ディスクが夫々収容されている収容室２４ａと、選択された夫々の光ディスクの収容履歴とを特定することができる。
尚、以下では、上述した方法とは別に、光ディスクの収容履歴に含まれて履歴記憶部に記憶されている各識別子を表示装置２００に表示させ、表示された識別子のうちの複数を使用者に選択させて受け付ける方法について説明する。この方法では、受け付けた複数の識別子が夫々記憶されている収容履歴が、間接的に選択されることとなり、選択された各収容履歴の履歴通番から、夫々の収容履歴を発生させた光ディスクと、該光ディスクが収容されている収容室２４ａとを特定することができる。
【００４６】
録再装置１は、履歴記憶部に記憶された各識別子を表示装置２００に表示することを指示する信号をリモコン１００から受信した場合、収容履歴に含まれて履歴記憶部に記憶されている媒体識別子及びデータ識別子並びに収容室識別子を一覧表示する画像データを、表示装置２００に与えて表示させる。
【００４７】
図６は、収容履歴を発生させた光ディスクに係る各識別子を一覧表示するＧＵＩ（Graphical User Interface ）の例を示す模式図である。表示装置２００のＬＣＤには、図６に示すように、履歴記憶部に記憶された各識別子を一覧表示する矩形の光ディスク一覧ＧＵＩ５０と、再生画像等を表示するウインドウとが、横並びに表示される。光ディスク一覧ＧＵＩ５０には、収容部２４に収容されている光ディスクの媒体識別子及びデータ識別子と、光ディスクが収容されている収容室２４ａの収容室識別子と、過去に収容部２４に収容されていた光ディスクの媒体識別子及びデータ識別子とが、上下に離隔して表示される。図６では、そのときに収容部２４に収容されている光ディスクの媒体識別子「Disc1」及び「Disc3」と、光ディスクが収容されている収容室２４ａの収容室識別子「room5」とが３つ縦並びに表示されている。また、その下方の適当な間隔を隔てた位置には、過去に収容部２４に収容されていた光ディスクの媒体識別子「Disc2」及び「Disc3」が２つ縦並びに表示されている。以上の表示方法により、使用者は、各媒体識別子が記憶されている収容履歴を発生させた光ディスクが、収容部２４に収容されているか否かを容易に判断することができる。
【００４８】
「Disc1」、「Disc2」及び「Disc3」が夫々表示されている位置の直下には、各媒体識別子と夫々同一の収容履歴に記憶されているデータ識別子の一部として、映像データのタイトル及び映像データの内容が夫々表示される。例えば、「Disc1」の直下には「番組１」及び「サッカー」が横並びに表示され、続けて下方に「番組２」及び「野球」と、「番組３」及び「バスケットボール」とが表示される。同様に「Disc2」の直下に「番組４」及び「映画」が、「Disc3」の直下に「番組５」及び「バラエティ」が、夫々表示される。尚、収容部２４に収容されている光ディスクについては、収容されている収容室２４ａを識別する収容室識別子を媒体識別子と並べて表示してもよい。
「room5」で識別される収容室２４ａに収容されている光ディスクからは、媒体識別子及びデータ識別子が読み出されていないため、「room5」の直下には「（不明）」と表示されている。
【００４９】
録再装置１は、光ディスク一覧ＧＵＩ５０において、収容部２４に収容されている光ディスクの媒体識別子又は収容室識別子を選択することを指示する信号をリモコン１００から受信した場合、媒体識別子又は収容室識別子が記憶されている収容履歴から特定される光ディスクを、再生すべき光ディスクとして受け付ける。
図７は、ＧＵＩを表示装置２００に表示させ、再生すべき複数の光ディスク夫々に係る識別子の選択を受け付けるＣＰＵ７の処理手順を示すフローチャートである。以下の処理は、ＥＥＰＲＯＭ９に予め格納された制御プログラムに従って、ＣＰＵ７により実行される。
【００５０】
ＣＰＵ７は、リモコン１００から、履歴記憶部に記憶された各識別子を表示装置２００に表示することを示す信号を受信したか否かを判定し（Ｓ１１）、前記信号を受信するまで待機する（Ｓ１１：ＮＯ）。前記信号を受信した場合（Ｓ１１：ＹＥＳ）、ＣＰＵ７は、記憶部２２の履歴記憶部に記憶されている内容を読み出し、読み出した内容に基づいて、画像処理部１３に光ディスク一覧ＧＵＩ５０の画像データを履歴通番順に生成させる（Ｓ１２）。この場合、ＣＰＵ７は、収容室識別子がヌルでないものを先に抽出し、その後、収容室識別子がヌルで媒体識別子がヌルでないものを抽出する。つまり、図５の例では、履歴通番が１，４，６のもの（「Disc1」，「Disc3」，「room5」）を先に抽出し、その後、履歴通番が２，３のもの（「Disc2」，「Disc3」）を抽出する。
尚、生成された画像データは、表示装置２００のＬＣＤに継続的に与えられる。
【００５１】
次に、ＣＰＵ７は、リモコン１００から、収容部２４に収容されている光ディスクの媒体識別子を選択することを示す信号を受信したか否かを判定し（Ｓ１３）、前記信号を受信した場合（Ｓ１３：ＹＥＳ）、選択された媒体識別子が記憶されている収容履歴の履歴通番を記憶部２２に記憶させる（Ｓ１４）。前記信号を受信していない場合（Ｓ１３：ＮＯ）、ＣＰＵ７は、リモコン１００から、収容部２４に収容されている光ディスクの収容室識別子を選択することを示す信号を受信したか否かを判定し（Ｓ１５）、前記信号を受信した場合（Ｓ１５：ＹＥＳ）、選択された収容室識別子が記憶されている収容履歴の履歴通番を記憶部２２に記憶させる（Ｓ１６）。
尚、ステップＳ１４及びＳ１６では、複数の履歴通番を記憶部２２に順次記憶させるため、記憶部２２に適当な領域を確保して、記憶された履歴通番の夫々が適切に参照されるように構成する。
【００５２】
前記信号を受信していない場合（Ｓ１５：ＮＯ）、又はステップＳ１４若しくはＳ１６の処理を終えた場合、ＣＰＵ７は、リモコン１００から、履歴記憶部に記憶された各識別子の表示を終了することを示す信号を受信したか否かを判定する（Ｓ１７）。前記信号を受信していない場合（Ｓ１７：ＮＯ）、ＣＰＵ７は、処理をステップＳ１３に戻す。前記信号を受信した場合（Ｓ１７：ＹＥＳ）、ＣＰＵ７は、画像処理部１３に光ディスク一覧ＧＵＩ５０の画像データ生成を停止させ（Ｓ１８）、処理を終了する。
上述したステップＳ１３〜Ｓ１７の処理を巡回して実行することにより、再生すべき複数の光ディスクの収容履歴を夫々特定する履歴通番が、記憶部２２の適当な領域に順番に記憶される。
尚、媒体識別子及び収容室識別子に加えて、データ識別子の選択を受け付けてもよい。
【００５３】
録再装置１は、先に選択された複数の光ディスクからコンテンツを再生することを示す信号をリモコン１００から受信した場合、選択されて記憶部２２に記憶されている複数の履歴通番を夫々有する収容履歴から、収容室２４ａに夫々収容されている光ディスクを特定し、特定した夫々の光ディスクを駆動部２６に装填してコンテンツを順次再生する。
図８及び９は、選択された複数の光ディスクのコンテンツを順次再生するＣＰＵ７の処理手順を示すフローチャートである。以下の処理は、ＥＥＰＲＯＭ９に予め格納された制御プログラムに従って、ＣＰＵ７により実行される。
【００５４】
ＣＰＵ７は、リモコン１００から、先に選択された光ディスクからコンテンツを再生することを示す信号を受信したか否かを判定し（Ｓ２１）、前記信号を受信するまで待機する（Ｓ２１：ＮＯ）。前記信号を受信した場合（Ｓ２１：ＹＥＳ）、ＣＰＵ７は、図７に示した処理によって記憶部２２に記憶された複数の光ディスクの履歴通番のうちから１つを読み出し（Ｓ２２）、読み出した履歴通番を有する収容履歴を履歴記憶部の中で特定し（Ｓ２３）、特定した収容履歴に記憶されている収容室識別子を読み出し（Ｓ２４）、読み出した収容室識別子で識別される収容室２４ａを特定する（Ｓ２５）。尚、収容室２４ａを特定する場合、特定した収容履歴の履歴通番に対応する収容室番号を、収容室記憶部からサーチするようにしてもよい（図４参照）。その後、ＣＰＵ７は、特定した収容室２４ａから駆動部２６へチェンジャ部２５によって光ディスクを搬送し、駆動部２６に光ディスクを装填する（Ｓ２６）。
【００５５】
次に、ＣＰＵ７は、ステップＳ２３で特定した収容履歴（以下、第ｉ履歴という。ｉは１，２，・・ｙの何れか）に記憶さるべき媒体識別子が存在するか否かを判定する（Ｓ２７）。媒体識別子が存在する場合（Ｓ２７：ＹＥＳ）、ＣＰＵ７は、第ｉ履歴に記憶された読出制御情報を読み出し（Ｓ２８）、読み出した読出制御情報を読出制御回路２６ｂに設定し（Ｓ２９）、コンテンツ再生に係るサブルーチンを呼び出して実行する（Ｓ３１）。コンテンツの再生後（データ記憶部に記憶されているデータの再生中を含む）、ＣＰＵ７は、駆動部２６から光ディスクを取り出して、元の収容室２４ａへ搬送し（Ｓ３２）、次に再生すべき光ディスクがあるか否かを判定する（Ｓ３３）。この判定は、記憶部２２に記憶された再生すべき複数の光ディスクの収容履歴のうち、読み出されていないものがあるか否かを判定することによって行う。再生すべき光ディスクがある場合（Ｓ３３：ＹＥＳ）、ＣＰＵ７は、処理をステップＳ２２に戻す。再生すべき光ディスクがない場合（Ｓ３３：ＮＯ）、ＣＰＵ７は処理を終了する。
【００５６】
ステップＳ２７で媒体子識別子が存在しない場合（Ｓ２７：ＮＯ）、ＣＰＵ７は、読出制御回路２６ｂによって、ピックアップ２６ａから照射する光ビームのフォーカスを調整し（Ｓ３４）、光ディスクのＢＣＡ３０ｂから媒体識別子を読み出す（Ｓ３５）。その後、ＣＰＵ７は、媒体識別子の読み出しに成功したか否かを判定し（Ｓ３６）、失敗した場合（Ｓ３６：ＮＯ）は、読出制御回路２６ｂの調整を完了させ（Ｓ３７）、光ディスクのヘッダ領域の所定量（本実施の形態１では、リードインエリア３０ｃの先頭１６バイト）のデータを読み出して媒体識別子とする（Ｓ３８）。
【００５７】
ステップＳ３６で媒体識別子の読み出しに成功した場合（Ｓ３６：ＹＥＳ）、又はステップＳ３８の処理を終えた場合、ＣＰＵ７は、読み出した媒体識別子と同一の媒体識別子が、履歴記録部の何れかの収容記録に記憶されて存在するか否かを判定する（Ｓ３９）。同一の媒体識別子が存在する場合（Ｓ３９：ＹＥＳ）、ＣＰＵ７は、存在した媒体識別子が記憶されている収容履歴に記憶された媒体識別子、データ識別子及び読出制御情報を、第ｉ履歴にコピーして（Ｓ４０）記憶し、処理をステップＳ２８に移す。
【００５８】
ステップＳ３９で同一の媒体識別子が存在しない場合（Ｓ３９：ＮＯ）、ＣＰＵ７は、読出制御回路２６ｂの調整を完了させ（又は調整の完了を確認し）（Ｓ４１）、光ディスクからデータ識別子を読み出し（Ｓ４２）、媒体識別子と、読み出したデータ識別子と、そのときに取り込んだ読出制御回路２６ｂの読出制御情報とを、第ｉ履歴に含めて履歴記憶部に記憶させ（Ｓ４３）、処理をステップＳ３１に移す。
尚、ステップＳ３１でコンテンツ再生に係るサブルーチンを呼び出す際に、再生するコンテンツの選択を受け付けるようにしてもよい。
【００５９】
図１０は、コンテンツ再生のサブルーチンに係るＣＰＵ７の処理手順を示すフローチャートである。図１０の処理が呼び出された場合、ＣＰＵ７は、第ｉ履歴に記憶されている読書位置情報が０であるか否か、即ち、データ記憶部の第ｉ領域の内容が空であるか否かを判定する（Ｓ５１）。０である場合（Ｓ５１：ＹＥＳ）、ＣＰＵ７は、第ｉ履歴の読書位置情報に割当エリア情報（先頭位置）の内容をコピーして記憶させ（Ｓ５２）、第ｉ履歴からデータ識別子を読み出す（Ｓ５３）。
【００６０】
次に、ＣＰＵ７は、ステップＳ５３で読み出したデータ識別子に基づいて、駆動部２６に装填されている光ディスクからコンテンツのデータを１セクタ（例えば２ｋバイト）分読み出して再生し（Ｓ５４）、再生したデータを第ｉ履歴の読書位置情報が指し示す位置に記憶させ（Ｓ５５）、読書位置情報が差し示す位置を前記１セクタ分だけ進めるべく更新する（Ｓ５６）。ここでは、第ｉ領域の大きさは、１セクタの整数倍の大きさとする。その後、ＣＰＵ７は、第ｉ履歴の読書位置情報が差し示す位置が、割当エリア情報（末尾位置）が差し示す位置と一致するか否かを判定し（Ｓ５７）、一致する場合（Ｓ５７：ＹＥＳ）、読書位置情報に割当エリア情報（先頭位置）の内容をコピーして記憶させる（Ｓ５８）。
【００６１】
ステップＳ５７で一致しなかった場合（Ｓ５７：ＮＯ）、又はステップＳ５８の処理を終えた場合、ＣＰＵ７は、前記データ識別子に基づくコンテンツの再生が終了したか否かを判定し（Ｓ５９）、終了していない場合（Ｓ５９：ＮＯ）は、処理をステップＳ５４に戻し、終了した場合（Ｓ５９：ＹＥＳ）は、呼び出されたルーチンにリターンする。
【００６２】
ステップＳ５１で、読書位置情報が０でなかった場合（Ｓ５１：ＮＯ）、即ち、データ記憶部の第ｉ領域にコンテンツのデータの一部が記憶されている場合、ＣＰＵ７は、第ｉ履歴からデータ識別子を読み出し（Ｓ６１）、読み出したデータ識別子に基づいて、駆動部２６に装填されている光ディスクからコンテンツのデータを１セクタ分読み出して再生し（Ｓ６２）、コンテンツにおける再生位置が、コンテンツのデータの末尾から所定長前であるか否か、即ち、再生すべきコンテンツが、第ｉ領域の大きさ分だけ残されているか否かを判定する（Ｓ６３）。所定長前に達していない場合（Ｓ６３：ＮＯ）、ＣＰＵ７は、処理をステップＳ６２に戻し、所定長前に達した場合（Ｓ６３：ＹＥＳ）、所定長再生ルーチンを起動して（Ｓ６４）呼び出されたルーチンにリターンする。
【００６３】
図１１は、所定長再生ルーチンに係るＣＰＵ７の処理手順を示すフローチャートである。図１１の処理がコンテンツ再生のサブルーチンから起動された場合、ＣＰＵ７は、ＲＡＭ８に記憶する再生位置情報に、第ｉ履歴の読書位置情報の内容をコピーする（Ｓ７１）。その後、ＣＰＵ７は、第ｉ領域において再生位置情報が指し示す位置から１セクタ分のデータを読み出して再生し（Ｓ７２）、再生位置情報が差し示す位置を前記１セクタ分だけ進めるべく更新する（Ｓ７３）。次いで、ＣＰＵ７は、再生位置情報が差し示す位置が、第ｉ履歴の割当エリア情報（末尾位置）が差し示す位置と一致するか否かを判定し（Ｓ７４）、一致する場合（Ｓ７４：ＹＥＳ）、再生位置情報に第ｉ履歴の割当エリア情報（先頭位置）の内容をコピーして記憶させる（Ｓ７５）。
【００６４】
ステップＳ７４で一致しなかった場合（Ｓ７４：ＮＯ）、又はステップＳ７５の処理を終えた場合、ＣＰＵ７は、第ｉ領域に記憶させたコンテンツの再生が終了したか否かを判定し（Ｓ７６）、終了していない場合（Ｓ７６：ＮＯ）は、処理をステップＳ７２に戻し、終了した場合（Ｓ７６：ＹＥＳ）は、所定長再生ルーチンの処理を終了する。ここでのコンテンツの再生の終了判定は、再生位置情報が指し示す位置が、第ｉ履歴の読書位置情報が差し示す位置と一致するか否かを判定することによって行う。
【００６５】
以上のように本実施の形態１によれば、選択された複数の光ディスク夫々の再生に際し、光ディスクの収容履歴に含まれて履歴記憶部に記憶さるべき媒体識別子が、再生前から記憶されている場合は、必然的に、収容履歴にデータ識別子が記憶されており、光ディスクからデータ識別子を読み出す時間を要することなしに、記憶されたデータ識別子で識別されるコンテンツを再生することができる。
また、光ディスクの収容履歴に含まれて履歴記憶部に記憶さるべき媒体識別子が、再生前から記憶されていない場合、光ディスクから読み出した媒体識別子と同一の媒体識別子が、履歴記憶部の何れかの収容履歴に記憶されているときは、記憶されている媒体識別子を有する光ディスクが、選択された光ディスクそのものであり、媒体識別子が記憶されている収容履歴に記憶されたデータ識別子で識別されるコンテンツを再生することができる。
従って、一度再生された記録媒体については、記録媒体の入れ替えの都度発生する頭出し時間を短縮することが可能となる。
【００６６】
更にまた、選択された複数の光ディスク夫々について、光ディスクに記録されたデータの末尾から所定量（例えば１０Ｍバイト）のデータの再生に際し、光ディスクの収容履歴に対応付けられた前記所定量のデータがデータ記憶部に記憶されていない場合（又は記憶されている場合）、前記所定量のデータを再生しつつデータ記憶部に記憶する（又はデータ記憶部に記憶されたデータを読み出して再生する）。
従って、一度再生された記録媒体のデータの末尾から所定量のデータについては、記録媒体から読み出すことなく再生できるため、記録媒体の入れ替えを再生の完了より先行させることが可能となる。
【００６７】
更にまた、光ディスクに記録されたデータを読み出すための読出制御回路から取り込んだ読出制御情報を、光ディスクの収容履歴に含めて履歴記憶部に記憶させ、光ディスクを再生するときに、その光ディスクに対応する読出制御情報を履歴記憶部から読み出して読出制御回路に設定する。
従って、フォーカシング及びトラッキング等の制御回路が安定状態に達するまでの時間を短縮することが可能となる。
【００６８】
更にまた、光ディスクの収容履歴に記憶された媒体識別子及びデータ識別子を画像として表示し、表示された画像のうちから、収容部に収容されている複数の光ディスクの収容履歴夫々に記憶された媒体識別子の選択を受け付ける。データ識別子の選択を受け付けてもよい。
従って、各識別子を使用者に視認させた上で間接的に複数の記録媒体の収容履歴を選択させることができ、選択された各収容履歴から、再生すべき記録媒体を特定することが可能となる。
【００６９】
更にまた、収容部が、収容室識別子によって識別される複数の収容室を有しており、１又は複数の収容室に光ディスクが収容された場合（又は１又は複数の収容室から光ディスクが取り出された場合）、収容室を識別する収容室識別子を、前記光ディスクの収容履歴に記憶させる（又は収容履歴から削除させる）。そして、複数の光ディスクの収容履歴夫々に記憶された収容室識別子を表示して使用者に収容室識別子を選択させる。
従って、収容室に収容されている複数の記録媒体の収容履歴を間接的に選択させることができ、選択された各収容履歴から、再生すべき記録媒体を夫々特定することが可能となる。
【００７０】
更にまた、媒体識別子は、記録媒体の所定領域に記録された所定量のデータとすることができ、ＢＣＡに記録されているディスクＩＤのみならず、使用者が記録したデータを媒体識別子として用いることが可能となる。
【００７１】
更にまた、表示されるデータ識別子にデータのタイトルが含まれるため、データのタイトルを参照して再生する記録媒体を選択することが可能となる。
【００７２】
尚、実施の形態１にあっては、録再装置１を表示装置２００に接続する構成としてあるが、録再装置１と表示装置２００とを一体化してもよい。また、記憶部２２にはＮＡＮＤ型フラッシュメモリを使用しているが、ＮＡＮＤ型フラッシュメモリに代えてＥＥＰＲＯＭ、ＨＤＤ（Hard Disc Drive ）等の記憶装置を使用してもよい。また、駆動部２６に配されたピックアップ２６ａが、収容室２４ａから搬送された光ディスクに光ビームを照射する構成としてあるが、例えば収容部２４にピックアップを配してあり、該ピックアップが収容室２４ａ間を移動して光ディスクに光ビームを照射する構成であってもよい。また、コンテンツのデータの一部が記憶されるデータ記憶部については、高速アクセスが可能なＤＲＡＭ等を用いてもよい。また、Ｉ／Ｆ１２，２７間では、ＦＩＦＯ（First In First Out ）メモリを介してコンテンツのデータを授受することにより、データの途切れが防止できるようにしてもよい。
【００７３】
更にまた、図５の説明において、第４履歴に第３履歴の内容をコピーしたときに第３履歴をそのまま残しているが、第３履歴を削除するようにしてもよい。その場合は、図６に示す画面において同一の媒体識別子及びデータ識別子の組み合わせが上下に２組表示されることを回避できる。また、図４に示す履歴記憶部の構成は、一部の収容履歴を削除したときに履歴記憶部のサイズが変化するものではないが、例えば履歴記憶部の構成をキュー（Queue ）のようなチェーン構造として、一部の収容履歴を削除したときに上記サイズを縮小できるようにしてもよい。
【００７４】
更にまた、図５の説明では、収容室識別子をroom1〜room5と定義しているが、例えば、収容室識別子に代えて、収容室番号を用いるようにしてもよい。その場合は、収容履歴から直接的に収容室２４ａを特定することが可能となる。
【００７５】
（実施の形態２）
実施の形態１は、収容部２４に収容された複数の光ディスクを順次再生するときに、夫々自身の収容履歴に記憶されている媒体識別子の有無を判定し、夫々の判定結果に応じた処理を行う形態である。これに対し、実施の形態２は、収容部２４に１又は複数の光ディスクが収容されたときに、夫々の光ディスクから媒体識別子を読み出し、読み出した夫々の媒体識別子と同一の媒体識別子が他の収容履歴に記憶されているか否かを判定し、夫々の判定結果に応じた処理を行う形態である。
図１２は、実施の形態２に係る履歴記憶部に記憶された内容の一部を例示した説明図である。光ディスクが収容室２４ａに収容された場合、収容履歴に収容室識別子、媒体識別子、データ識別子及び読出制御情報が記憶される。その後、収容室２４ａから光ディスクが取り出された場合に、収容室識別子にヌルが記憶されるのは、実施の形態１と同様である。
【００７６】
以下では、実施の形態１と同一の時系列で光ディスク３１，３２，・・３５が収容部２４に／から順次収容／取り出された場合に、収容履歴に記憶される内容について説明する。尚、光ディスク３４，３５の媒体識別子、及び読出制御情報を、夫々Disc4，Disc5、及び調整値４，調整値５とし、光ディスク３２，３３，３５を収容室２４ａから取り出した場合の説明と、収容室記憶部に記憶される内容についての説明を省略する。
録再装置１は、ディスク検出センサ２４ｃの検出結果より収容部２４に１又は複数の光ディスクが収容されたことを検出した場合、履歴通番が１から始まる収容履歴を夫々生成して履歴記録部に記憶させる。
【００７７】
収容室番号が２，１，３の収容室２４ａに、光ディスク３１，３２，３３が夫々収容された場合、履歴記憶部では、第１履歴，第２履歴，第３履歴に履歴通番（＝１，２，３）及び収容室識別子（＝room2，room1，room3）が夫々記憶されると共に、光ディスク３１，３２，３３から媒体識別子（＝Disc1，Disc2，Disc3）が読み出される。この場合、読み出された媒体識別子と同一の媒体識別子が履歴記憶部に記憶されていないため、光ディスク３１，３２，３３から更にデータ識別子（＝番組１，番組４，番組５等）が読み出され、そのときの読出制御情報（＝調整値１，調整値２，調整値３）と、読み出された夫々の媒体識別子及びデータ識別子とが、第１履歴，第２履歴，第３履歴に夫々記憶される。
【００７８】
次に、収容室番号が４の収容室２４ａに光ディスク３３が収容された場合、第４履歴に履歴通番（＝４）及び収容室識別子（＝room4）が記憶され、光ディスク３３から媒体識別子（＝Disc3）が読み出される。この場合は、第３履歴に同一の媒体識別子が記憶されているため、第３履歴に記憶されている媒体識別子を有する光ディスク３３が、再生すべき光ディスクそのものであると判定される。従って、録再装置１は、第３履歴に記憶されている媒体識別子、データ識別子及び読出制御情報を第４履歴にそのままコピーして記憶させる。
次に、収容室番号が５，５の収容室２４ａに、光ディスク３４，３５が夫々収容された場合、第５履歴，第６履歴に履歴通番（＝５，６）及び収容室識別子（＝room5，room5）が夫々記憶されると共に、光ディスク３４，３５から読み出された媒体識別子（＝Disc4，Disc5）及びデータ識別子（＝番組６，番組９）と、そのときの読出制御情報（＝調整値４，調整値５）とが、第５履歴，第６履歴に夫々記憶される。
【００７９】
録再装置１は、収容された光ディスクから媒体識別子を読み出し、読み出した媒体識別子と同一の媒体識別子が他の収容履歴に含まれて履歴記憶部に記憶されているか否かを判定し、判定結果に応じた処理を行う。
図１３は、１又は複数の光ディスクが収容室２４ａに収容された場合、収容履歴の生成及び媒体識別子の読み出しを行うＣＰＵ７の処理手順を示すフローチャートである。以下の処理は、ＥＥＰＲＯＭ９に予め格納された制御プログラムに従って、ＣＰＵ７により実行される。
【００８０】
ＣＰＵ７は、ディスク検出センサ２４ｃの検出結果を取り込んで収容室２４ａに光ディスクが収容されたか否かを判定し（Ｓ８０）、光ディスクが収容されるまで待機する（Ｓ８０：ＮＯ）。１又は複数の光ディスクが収容された場合（Ｓ８０：ＹＥＳ）、ＣＰＵ７は、履歴通番が１から始まる収容履歴を生成して（Ｓ８１）履歴記録部に記憶させる。その後、ＣＰＵ７は、駆動部２６に空きが生じているか否かを判定し（Ｓ８２）、空きが生じるまで待機する（Ｓ８２：ＮＯ）。空きが生じた場合（Ｓ８２：ＹＥＳ）、ＣＰＵ７は、収容された光ディスクを収容室２４ａから駆動部２６へ搬送し、駆動部２６に光ディスクを装填する（Ｓ８３）。
【００８１】
以下に続くステップＳ８４〜Ｓ９３の処理は、実施の形態１の図９で説明したステップＳ３４〜Ｓ４３の処理と同一であるため、その説明を省略する。ステップＳ９０又はＳ９３の処理を終えた場合、ＣＰＵ７は、駆動部２６から光ディスクを取り出して元の収容室２４ａに搬送し（Ｓ９４）、収容室２４ａに収容された他の光ディスクがあるか否かを判定する（Ｓ９５）。他の光ディスクがある場合（Ｓ９５：ＹＥＳ）、ＣＰＵ７は、処理をステップＳ８１に戻す。再生すべき光ディスクがない場合（Ｓ９５：ＮＯ）、ＣＰＵ７は処理を終了する。
【００８２】
録再装置１は、履歴記憶部に記憶された各識別子を表示装置２００に表示することを指示する信号をリモコン１００から受信した場合、収容履歴に含まれて履歴記憶部に記憶されている媒体識別子及びデータ識別子並びに収容室識別子を一覧表示する画像データを、表示装置２００に与えて表示させる。
【００８３】
図１４は、収容履歴を発生させた光ディスクの各識別子を一覧表示するＧＵＩの例を示す模式図である。表示装置２００のＬＣＤには、履歴記憶部に記憶された各識別子を一覧表示する矩形の光ディスク一覧ＧＵＩ５０と、再生画像等を表示するウインドウとが、横並びに表示される。光ディスク一覧ＧＵＩ５０には、収容部２４に収容されている光ディスクの媒体識別子及びデータ識別子と、過去に収容部２４に収容されていた光ディスクの媒体識別子及びデータ識別子とが、上下に離隔して表示される。図１４では、そのときに収容部２４に収容されている光ディスクの媒体識別子「Disc1」、「Disc3」及び「Disc5」が３つ縦並びに表示されている。また、その下方の適当な間隔を隔てた位置には、過去に収容部２４に収容されていた光ディスクの媒体識別子「Disc2」及び「Disc3」が２つ縦並びに表示されている。以上の表示方法により、使用者は、収容部２４に収容されている光ディスクの媒体識別子及びデータ識別子を視認して、再生すべき光ディスクを選択することができる。
【００８４】
録再装置１は、先に選択された複数の光ディスクからコンテンツを再生することを示す信号をリモコン１００から受信した場合、選択されて記憶部２２に記憶されている複数の履歴通番を夫々有する収容履歴から、収容室２４ａに夫々収容されている光ディスクを特定し、特定した夫々の光ディスクを駆動部２６に装填してコンテンツを順次再生する。
この場合にＣＰＵ７が実行する処理手順は、実施の形態１の図８で説明したステップＳ２１〜Ｓ３３の処理と同様であるが、選択された光ディスクの収容履歴には、光ディスクが収容室２４ａに収容されたときに媒体識別子が書き込まれるため、ステップＳ２７では判定結果が常に「ＹＥＳ」となる点が異なる。
【００８５】
その他、実施の形態１に対応する箇所には同様の符号を付して、その詳細な説明を省略する。
【００８６】
以上のように本実施の形態２によれば、収容部に収容された１又は複数の光ディスクから読み出した媒体識別子と同一の媒体識別子が履歴記憶部に記憶されていないときは、再生に先立って、光ディスクから読み出したデータ識別子及び媒体識別子を光ディスクの収容履歴に含めて履歴記憶部に記憶させる。
また、収容部に収容された１又は複数の光ディスクから読み出した媒体識別子と同一の媒体識別子が履歴記憶部に記憶されているときは、記憶されている媒体識別子を有する光ディスクが、収容された光ディスクそのものであり、前記媒体識別子が記憶されている収容履歴に記憶されたデータ識別子で識別されるデータを、光ディスクからデータ識別子を読み出す時間を要することなしにいつでも再生することが可能となる。
従って、一度収容部に収容された記録媒体について、記録媒体の入れ替えの都度発生する頭出し時間を短縮することが可能となる。また、収容部への収容時に記録媒体から読み出した媒体識別子及びデータ識別子を表示させることとした場合は、例えば記録媒体の固有情報及びコンテンツのタイトルを視認して記録媒体を選択することが可能となる。
【符号の説明】
【００８７】
１  録再装置
２  バックエンド装置
７  ＣＰＵ
８  ＲＡＭ
９  ＥＥＰＲＯＭ
１３  画像処理部（表示データ生成手段）
２０  ドライブ装置
２２  記憶部
２３  光ディスクドライブユニット
２４  収容部
２４ａ  収容室
２４ｂ  表示ランプ
２４ｃ  ディスク検出センサ
２５  チェンジャ部
２６  駆動部
２６ａ  ピックアップ
２６ｂ  読出制御回路（読出制御手段）
３１、３２、・・３ａ、・・３ｍ、・・３ｎ  光ディスク（記録媒体）
１００  リモコン（選択を受け付ける手段）
２００  表示装置（表示部）
【図１】
2011123937.tif 000003
【図２】
2011123937.tif 000004
【図３】
2011123937.tif 000005
【図４】
2011123937.tif 000006
【図５】
2011123937.tif 000007
【図６】
2011123937.tif 000008
【図７】
2011123937.tif 000009
【図８】
2011123937.tif 000010
【図９】
2011123937.tif 000011
【図１０】
2011123937.tif 000012
【図１１】
2011123937.tif 000013
【図１２】
2011123937.tif 000014
【図１３】
2011123937.tif 000015
【図１４】
2011123937.tif 000016